(57)【要約】【課題】  コネクタハウジングの電線引出側への組み付け状態でがたつきが生じることのないリヤカバーの取付構造を提供する。【解決手段】  コネクタハウジング２内の端子から電線が引き出されるコネクタ３の電線引出側４に、防水用のグロメット５が装着され、このグロメット５を間に挟んでコネクタ３の電線引出側４に組み付けられるリヤカバー１の取付構造において、グロメット５に、リヤカバー１の内壁（突出部３４）６に当接し、リヤカバー１へのグロメット５の姿勢を保持する姿勢保持リブ７を設けた。【選択図】      図３
2006092945.tif 000002
【特許請求の範囲】
【請求項１】
コネクタハウジング内の端子から電線が引き出されるコネクタの電線引出側に、グロメットが装着され、このグロメットを間に挟んで前記コネクタの電線引出側に組み付けられるリヤカバーの取付構造であって、
前記グロメットに、前記リヤカバーの内壁に当接して、前記リヤカバーへのグロメットの姿勢を保持する姿勢保持リブを設けたことを特徴とするリヤカバーの取付構造。
【請求項２】
請求項１記載のリヤカバーの取付構造であって、
前記リヤカバーの内壁には、前記姿勢保持リブに当接する突出部が設けられ、前記姿勢保持リブと前記突出部とが線接触していることを特徴とするリヤカバーの取付構造。
【発明の詳細な説明】
【技術分野】
【０００１】
本発明は、コネクタハウジングの電線引出側のグロメットの外側から取り付けられるリヤカバーの取付構造に関する。
【背景技術】
【０００２】
特許文献１に、コネクタハウジング内の端子から電線が引き出されるコネクタの電線引出側に、防水や遮音のためのカバーを取り付ける構造が記載されている。この構造では、複数個の雄コネクタをカバーに挿入し、電線引出側から引き出された電線をカバーの電線収容部に収容すると共に、引出口から引き出している。このカバーは軟質の合成ゴムで形成され、コネクタハウジングにシール部を介して取り付けられている。このカバーによって、雄コネクタの電線引出側からの水の浸入や音の伝達が阻止されている。
【特許文献１】特開平７−２６３０６８号
【発明の開示】
【発明が解決しようとする課題】
【０００３】
ところで、コネクタの電線引出側からの水の浸入を阻止したり遮音するためにカバー（グロメット）を取り付けることでシール性や遮音性は向上するが、カバーは一般に合成ゴム等の軟質材で形成されているので、取り回しの際に周囲の部材の鋭利な角部等と当接して傷つくことがある。そこで、リヤカバーを雄コネクタの電線引出側に組み付けることにより、防水カバーが外部に直接露出しないようにして保護することが提案されている。
【０００４】
ところが、カバーはシール部を介して雄コネクタの電線引出側に密着して装着されるのでがたつきが生じることはないが、リヤカバーを雄コネクタの電線引出側に組み付けると、雄コネクタとリヤカバーとの間にがたつきが生じる。
【０００５】
また、リヤカバーは、カバーを挿通した複数本の電線を外部に引き出すための切欠を設ける必要から、がたつきを防止するためのロックアーム等を設ける部分に制約があり、雄コネクタの電線引出側への組み付けにおいて、リヤカバーのがたつきを防止するのが困難であった。
【０００６】
そこで、本発明は、コネクタハウジングの電線引出側に装着される防水グロメットを保護するリヤカバーの取付構造において、リヤカバーへのグロメットの姿勢を保持することでコネクタハウジングの電線引出側への組み付け状態でがたつきが生じることのないリヤカバーの取付構造の提供を目的とする。
【課題を解決するための手段】
【０００７】
請求項１の発明のリヤカバーの取付構造では、コネクタハウジング内の端子から電線が引き出されるコネクタの電線引出側に、グロメットが装着され、このグロメットを間に挟んで前記コネクタの電線引出側に組み付けられるリヤカバーの取付構造であって、前記グロメットに、前記リヤカバーの内壁に当接して、前記リヤカバーへのグロメットの姿勢を保持する姿勢保持リブを設けたことを特徴とする。
【０００８】
この取付構造では、コネクタハウジングの電線引出側に防水用のグロメットを装着し、リヤカバーをコネクタハウジングの電線引出側に組み付けると、グロメットの姿勢保持リブがリヤカバーの内壁に当接する。これにより、リヤカバーは、コネクタハウジングの電線引出側に組み付けられたグロメットを介してコネクタハウジングにがたつきなく組み付けられる。
【０００９】
請求項２の発明のリヤカバーの取付構造では、請求項１記載のリヤカバーの取付構造であって、前記リヤカバーの内壁には、前記姿勢保持リブに当接する突出部が設けられ、前記姿勢保持リブと前記突出部とが線接触していることを特徴とする。
【００１０】
この取付構造では、姿勢保持リブがリヤカバーの壁部に当接する際に、線接触で当接するので、リヤカバーをコネクタハウジングの電線引出側へ取り付ける際に受ける反発力が小さいので、小さな操作力でリヤカバーをコネクタハウジングの電線引出側へ取り付けることができる。
【発明の効果】
【００１１】
請求項１の発明によれば、リヤカバーをコネクタハウジングの電線引出側に組み付けると、グロメットの姿勢保持リブがリヤカバーに当接し、グロメットのリヤカバーへの姿勢が保持される。これにより、リヤカバーはグロメットを介してコネクタハウジングの電線引出側にがたつきなく取り付けられる。
【００１２】
請求項２の発明によれば、リヤカバーをコネクタハウジングの電線引出側へ取り付ける際に受ける反発力が小さいので、小さな操作力でリヤカバーをコネクタハウジングの電線引出側へ取り付けることができ、組み付けが容易になる。
【発明を実施するための最良の形態】
【００１３】
以下、本発明の実施形態を図面に基づいて説明する。図１はコネクタ３と、このコネクタ３の電線引出側４に装着されるグロメット５と、グロメット５を間に挟んでコネクタ３に組み付けられるリヤカバー１とを示す分解斜視図である。図２はリヤカバー１にグロメット５が当接した状態を示す正面図、また、図３はグロメット５を間に挟んでリヤカバー１をコネクタハウジング２の電線引出側に組み付けた状態を示す斜視図である。
【００１４】
本実施形態のリヤカバー１の取付構造は、コネクタハウジング２内の端子から電線が引き出されるコネクタ３の電線引出側４に、グロメット５が装着され、このグロメット５を間に挟んでコネクタ３の電線引出側４に組み付けられるリヤカバー１の取付構造において、グロメット５に、リヤカバー１の内壁６に当接して、リヤカバー１へのグロメット５の姿勢を保持する姿勢保持リブ７が一体に設けられている。
【００１５】
図１に示すように、コネクタ３は、略筒状で一側に相手コネクタとの嵌合フード部８が形成され、他側に端子が収容される複数の端子収容室９が設けられたコネクタハウジング２が形成されている。また、コネクタハウジング２の中心部には、相手コネクタ（不図示）との嵌合用の回動レバーが挿通される挿通孔１０が形成されている。コネクタハウジング２の電線引出側４には、リヤカバー１が組み付けられる組付壁部１１が形成されている。また、電線引出側４にグロメット５が装着される。
【００１６】
グロメット５は、コネクタハウジング２の電線引出側４を覆う覆い部１２と、この覆い部１２に一体に形成された電線引出筒部１３とで形成されている。覆い部１２の開口１４は、コネクタハウジング２の電線引出側４の形状に倣って半円状に形成されている。この開口１４の縁部に、コネクタハウジング２に係合する係止突起１５、１６が形成されている（図３参照）。
【００１７】
また、覆い部１２の外周面１７には、電線引出筒部１３の反対側に台形状の姿勢保持リブ７、７が一体に設けられている。この姿勢保持部７、７は、外周面１７から立ち上がる斜面７ａ、７ａと平面状の当接面７ｂ、７ｂとで形成されている。
【００１８】
リヤカバー１は、図１〜３に示すように、矩形箱形状に形成され、カバー本体部２０の一側に組付開口２１が形成され、他側にグロメット収納部２２が一体に形成されている。組付開口２１の開口縁からは、３本のロックアーム２３、２４、２５が突設されている。これらのロックアーム２３、２４、２５は、コネクタ３の組付壁部１１に係合してリヤカバー１をコネクタ３の電線引出側４に組み付ける。グロメット収納部２２は、上壁２６と、この上壁２６に対向する下壁２７と、上壁２６と下壁２７とを連結する側壁２８と形成されている。また、上壁２６と下壁２７との間に、グロメット５の電線引出筒部１３が外部に引き出される引出開口２９が形成されている。また、グロメット収納部２２の底壁３０からは、円筒状の２つの凸部３１、３２が突設されている。一方の凸部３１は、引出開口２９側に設けられ、他方の凸部３２は、上壁２６と側壁２８との連結部３３側に設けられている。これらの凸部３１、３３は、中心部にそれぞれ孔が設けられており、車体（グローブボックス）への取り付け時のねじ止め固定部となっている。
【００１９】
また、図３に示すように、下壁２７と側壁２８には、突出部３４、３４がそれぞれ設けられている。この突出部３４は、先端部の当接頂部３４ａと、この当接頂部３４ａから下壁２７、側壁２８の至る両傾斜部３４ｂとで山形形状に形成されている。当接頂部３４ａは、姿勢保持リブ７、７の当接面７ｂ、７ｂにそれぞれ線接触する。
【００２０】
そして、コネクタ３の後端側４にグロメット５を装着し、リヤカバー１を組み付けるには、グロメット５の覆い部１２内に、コネクタ３の後端側４から引き出された図示しない電線を挿入し、電線引出筒部１３から外部へ引き出す。次にグロメット５をコネクタ３の後端側４へ移動し、係止突起１５、１６をコネクタハウジング２の後端側へ係止する。この状態から、リヤカバー１をコネクタハウジング２の電線引出側４へ位置合わせし、ロックアーム２３、２４、２５により組付壁部１１へ組み付ける。このとき、姿勢保持リブ７、７の当接面７ｂ、７ｂに当接頂部３４ａ、３４ａがそれぞれ当接する。
【００２１】
従って、コネクタハウジング２の電線引出側４に組み付けられたグロメット５の姿勢が、リヤカバー１に保持されることで、リヤカバー１はグロメット５を介してコネクタハウジング２の電線引出側に、がたつきなく組み付けられる。
【００２２】
また、突出部３４の当接頂部３４ａが、姿勢保持リブ７の当接面７ｂに線接触で当接するので、リヤカバー１をコネクタハウジング２の電線引出側４へ組み付ける際に、抵抗が小さいので組み付け時の操作力を小さくすることができて、リヤカバー１をコネクタハウジング２に容易に組み付けることができる。
【００２３】
また、上記実施形態では、電線引出筒部１３が引出開口２９を貫通して外方に突出しているので、リヤカバー１の回動が規制され、リヤカバー１のコネクタハウジング２に対する回転を防止することができる。
【００２４】
また、本実施形態における上記グロメット５は、防水機能の他に、このコネクタ３がパネル等に取り付けられる場合では、パネルの一側から他側への遮音機能をも有している。
【００２５】
なお、上記実施形態では、二つの姿勢保持リブ７、７をグロメット５の外周面１７に設けたが、二つ以上の箇所にがたつめリブ７を設けても良い。
【００２６】
また、上記実施形態では、下壁２７、側壁２８に突出部３４を設けてグロメット５に当接させたが、内壁６であればどの部分に当接させても良い。
【図面の簡単な説明】
【００２７】
【図１】コネクタと、コネクタの電線引出側に装着されるグロメットと、グロメットを間に挟んでコネクタハウジングの電線引出側に組み付けられるリヤカバーを示す分解斜視図である。
【図２】コネクタと、グロメットと、リヤカバーとが組み付けられた状態を示す斜視図である。
【図３】グロメットの開口側と、グロメットの後端側のリヤカバーとを示し、がたつめリブが内壁に当接した状態を示す正面図である。
【図４】図３の状態でコネクタハウジングとリヤカバーとを示す正面図である。
【図５】グロメットの後端側とコネクタハウジングの電線引出側を示す背面図である。
【符号の説明】
【００２８】
１  リヤカバー
２  コネクタハウジング
３  コネクタ
４  電線引出側
５  グロメット
６  内壁
７  姿勢保持リブ
３４  突出部
【図１】
2006092945.tif 000003
【図２】
2006092945.tif 000004
【図３】
2006092945.tif 000005
【図４】
2006092945.tif 000006
【図５】
2006092945.tif 000007